Podtech/llm-jp-corpus-v4-ja_patent huggingface dataset:
(57)【要約】【課題】  手に持っている傘が邪魔になった時、地面に立てて手を離しても、起立し続ける傘を提供する。【解決手段】  本発明の傘は柄の先端に一体成形の丸い板が付いており、傘を畳んで地面に立て、丸い板を足で踏むだけで、手から離しても起立し続けるようにした。また、柄の先端にある板は店舗等に置いてある傘袋に入る大きさなので、店舗や電車内でしずくが垂れる心配がない。【選択図】図１
2014057817.tif 000002
【特許請求の範囲】
【請求項１】
傘の柄の先端部分に柄と一体成形で作られた円形の板がついている傘であって、傘を畳んで地面に立て、板を足で踏むだけで、手から離しても起立し続ける傘。
【発明の詳細な説明】
【技術分野】
【０００１】  本発明は、支払い時等に傘が邪魔になった時、地面に立てて手を離しても、起立し続ける傘に関するものである。
【背景技術】
【発明の概要】
【発明が解決しようとする課題】
【０００２】  店舖や券売機の前等で支払いをする時に、両手を使いたいが、手に持っている傘が邪魔になり、傘の置き場所に困ることがあった。【０００３】  本発明は上記の課題を解決するものであり、傘から手を離したい時に、傘を地面に立てて起立させることで、両手を自由に使えるようにすることを目的とするものである。
【課題を解決するための手段】
【０００４】  本発明は上記目的を達成するために、傘の柄の先端部分に一体成形で円形の板を付けることで、傘を閉じて地面に立て、板を足で踏むだけで、手から離しても起立し続けるようにした。
【発明の効果】
【０００５】  上述したように本発明の起立する傘は、傘を地面に立て、柄の先端部分についている板を足で踏むだけで起立し続けるので、店舗での支払い時等に傘が邪魔になった時、即座に傘から手を離して両手を使うことができる利便性を有している。【０００６】  柄の先端部分の板は柄と一体成形なので、傘を立たせる部品等をわざわざ取り付ける必要がなく、必要な時、即座に板を足で踏んで起立させることができる。【０００７】  また、柄の先端部分の板は、雨天時に店舗等に置いてある傘袋に入れられる大きさなので、店舗や交通機関の中にもそのまま持って入れ、水滴を垂らす心配がない。【０００８】  さらに、柄の先の板は星型、花びら型、動物型など、さまざまな形にすることで、デザイン性も付加できる。
【図面の簡単な説明】
【０００９】
【図１】  本発明の起立する傘の横から見た図と、やや斜め上方から見た柄の先の板の図である。
【発明を実施するための形態】
【００１０】  以下、本発明を実施するための形態を図１に基づいて説明する。
【００１１】  １は地面に置いて足で踏むための板で、柄と一体成形で強度を高めている。板の大きさは、店舗等に置いてある傘袋に入る大きさである。
【図１】
2014057817.tif 000003
(57)【要約】【課題】  外に布団を干して取り込むとき、ダニなどを落とそうと布団たたきで強くたたくと、逆に布団をいためてしまい、ダニも取れない。本発明は軽くたたくようにしながらコロコロを横に滑らせてダニなどをとる布団たたきを提供する。【解決手段】  布団たたきの表面にコロコロを二つ取り付け、軽くたたくようにしてコロコロを横に滑らせながらダニなどを取ることを特徴とする布団たたき型コロコロ。【選択図】図１
2014057820.tif 000002
【特許請求の範囲】
【請求項１】
布団たたき棒の先端に輪状のたたき部を設け、このたたき部の内側に２本のローラーを設けたことを特徴とする布団たたき用具。
【発明の詳細な説明】
【技術分野】
【０００１】  本発明は、軽く布団をたたくようにしながらゴミなどを用具で取る用具に関するものである。
【背景技術】
【０００２】  現在、布団たたきは布団をいためるだけで、良いものとされていません。
なお、普通のコロコロは各種発明され提供されている。
【先行技術文献】
【特許文献】
【０００３】
【特許文献１】  特開３１６３０３７号公報
【発明の概要】
【発明が解決しようとする課題】
【０００４】布団は晴れている時は外に干したいものである。しかし取り込むとき布団をたたいてダニやホコリを取りたいが、強くたたくと布団をいためてしまい、ダニも取れなかった。
本発明は、以上の問題を解決するためになされたものである。
【課題を解決するための手段】
【０００５】布団たたき棒の先端に輪状のたたき部を設け、このたたき部の内側に２本のローラーを設けたことを特徴とする布団たたき用具。
【発明の効果】
【０００６】従来の布団を強くたたくことなく、同時にダニ取りも可能にしたものである。
【図面の簡単な説明】
【０００７】
【図１】本発明の斜視図
【発明を実施するための形態】
【０００８】以下本発明の実施の形態を説明する。
（イ）布団をたたき棒（２）のたたき部（３）にコロコロローラー二つ（１）を設ける。
本発明は以下のような構造である。
本発明を使用するときは、布団たたき棒（２）とコロコロローラー二つ（１）がついた布団たたき用具をたたき部（３）で布団を軽くたたくようにして、横にすべらせながらゴミやダニなどを取る。
【符号の説明】
【０００９】１ローラー、２布団たたき棒、３たたき部、
【図１】
2014057820.tif 000003
(57)【要約】      （修正有）【課題】簡単な構造で箱体を小型化することで製造費用を抑える太陽光発電用接続箱を提供する。【解決手段】箱体本体３に放熱板５が設けられ、放熱板５上に逆流防止ダイオード６、直流開閉器７等を配列した太陽光発電用接続箱１であって、略矩形の本体に取り付け部が設けられた形状の逆流防止ダイオード６を、箱体本体３の側面に対して平行に本体を配置した状態から、任意の角度に左右どちらかへ回転させた状態で並列させる。【選択図】図１
2014057027.tif 000002
【特許請求の範囲】
【請求項１】
箱体本体に放熱板が設けられ、該放熱板上に逆流防止ダイオード、直流開閉器等を配列した太陽光発電用接続箱であって、略矩形の本体に取り付け部が設けられた形状の前記逆流防止ダイオードを、前記箱体本体の側面に対して平行に本体を配置した状態から、任意の角度に左右どちらかへ回転させた状態で並列させることを特徴とする太陽光発電用接続箱。
【発明の詳細な説明】
【技術分野】
【０００１】
本発明は、太陽光発電システムにおいて太陽電池が発電した電力を集電する接続箱に関するものである。
【背景技術】
【０００２】
太陽光発電システムは、複数の太陽電池パネルにより発電が行われ、発電された直流電力が接続箱で一回路の出力にまとめられて交流電力に変換するためのパワーコンディショナに送られる。太陽光発電用接続箱は、開閉器や逆流防止ダイオード、さらにサージアブソーバ等が組み込まれる。逆流防止ダイオードは略矩形の本体に取り付け部が突設された形状をしており、従来、図５に示すように、逆流防止ダイオードの略矩形の本体を箱体本体の側壁に平行にして、放熱板上に並列させていた。
【先行技術文献】
【特許文献】
【０００３】
【特許文献１】特開２０００−２６１１７７号公報
【発明の概要】
【発明が解決しようとする課題】
【０００４】
しかしながら上記従来技術における逆流防止ダイオードの配列では、逆流防止ダイオードの箱体本体の占有面積が大きく、それに合わせて箱体本体も大型化し、製造費用を引き上げたり、取り付け場所の制約ができたりするという不都合があった。
【課題を解決するための手段】
【０００５】
そこで本発明は、簡単な構造で箱体を小型化することで製造費用を抑える太陽光発電用接続箱を提供することを目的とし、その構造は、箱体本体に放熱板が設けられ、放熱板上に逆流防止ダイオード、直流開閉器等を配列した太陽光発電用接続箱であって、略矩形の本体に取り付け部が設けられた形状の逆流防止ダイオードを、箱体本体の側面に対して平行に本体を配置した状態から、任意の角度に左右どちらかへ回転させた状態で並列させることを特徴とする。
【発明の効果】
【０００６】
本発明に係る太陽光発電用接続箱は、箱体本体に放熱板が設けられ、放熱板上に逆流防止ダイオード、直流開閉器等を配列した太陽光発電用接続箱であって、略矩形の本体に取り付け部が設けられた形状の逆流防止ダイオードを、箱体本体の側面に対して平行に本体を配置した状態から、任意の角度に左右どちらかへ回転させた状態で並列させるため、逆流防止ダイオードの長い対角線が真っ直ぐに箱体本体を閉めてしまう従来の配置に比べ、逆流防止ダイオードの占有面積を抑えることができる。逆流防止ダイオードの占有面積を抑えることにより、箱体本体全体も小型化することができ、製造費用を引き下げるとともに、太陽光発電用接続箱の設置場所に関する制約も少なくできる。
【図面の簡単な説明】
【０００７】
【図１】本発明の太陽光発電用接続箱の蓋体をとった状態の正面図である。
【図２】本発明の太陽光発電用接続箱の蓋体をした状態を示す正面図である。
【図３】図１における開閉器を外した状態を示す正面図である。
【図４】逆流防止ダイオードの配置を示す説明図である。
【図５】従来の逆流防止ダイオードの配置を示す説明図である。
【発明を実施するための形態】
【０００８】
本発明に係る太陽光発電用接続箱の実施例を図１から図４の添付図面に基づいて説明する。
【０００９】
太陽光発電用接続箱１は、前面に開口２を有する箱体本体３と、開口２を閉塞する蓋体４とから成り、箱体本体３には放熱板５が設けられている。太陽光発電システムにおいて、太陽光電池パネルで発電された電力を集電する際に、逆流を防止するためのダイオード６が放熱板５上に複数個配置され、このダイオード６に被せるように開閉器７が取り付けられる。逆流防止ダイオード６は発熱するので、放熱板５に配置して箱体本体３の外側へと放熱させる。
【００１０】
逆流防止ダイオード６は本体６ａは略矩形で、この本体６ａを箱体本体３に固定するねじを取り付けるための取り付け部６ｂが、本体６ａの両側に突設されている。両方の取り付け部６ｂの頂点を結んだ長さが大きいと逆流防止ダイオード６の箱体本体３に対する占有面積が大きくなってしまう。本発明では、逆流防止ダイオード６を従来の配置と比べて斜めに配置する。箱体本体３の側面に平行に取り付けた状態から任意の角度に左右どちらかへ回転させた状態で取り付ける。図面では、４５度右方向に回転させた状態を示すが、逆流防止ダイオード６が省スペースに収まるように取り付ける。
【００１１】
図４に示す長さＡと図５に示す長さＡとが等しいとき、逆流防止ダイオード６を斜め配置にした場合、逆流防止ダイオード６の箱体本体３に対する占有面積を抑えられる。これにより、箱体本体３やその他の内部機器も小型化でき、製造費用を引き下げることができる。また、いままで箱体本体３の設置場所もそれだけの広さを確保しなくてはならなかったが、狭いスペースでも設置できるようになり、設置場所の制約が少なくなる。
【００１２】
開閉器７の底面には、逆流防止ダイオード６が組み込まれる取り付け穴が設けられるが、この取り付け穴も逆流防止ダイオード６の取り付け角度に合わせて形成し、逆流防止ダイオード６に被せるように開閉器７を設ける。
【符号の説明】
【００１３】
１    太陽光発電用接続箱
２    開口
３    箱体本体
４    蓋体
５    放熱板
６    逆流防止ダイオード
６ａ  本体
６ｂ  取り付け部
７    開閉器
【図１】
2014057027.tif 000003
【図２】
2014057027.tif 000004
【図３】
2014057027.tif 000005
【図４】
2014057027.tif 000006
【図５】
2014057027.tif 000007
(57)【要約】      （修正有）【課題】津波警報等で避難をする時は徒歩で高台等に素早く避難場所に行くことが鉄則であるが、車両運転中の方や弱者の方を救うことができる車両用浮き袋を提供する。【解決手段】津波警報等でやむをえず車両１等に弱者の方を同乗させての避難時に渋滞に遭い車両が動かなくなり津波等が来たときに下方よりの水圧と車重により浮き袋２内に発砲ウレタンあるいは空気を注入し浮き袋を膨張させて車両を支え水面に浮くようになし、車両等を浮上させて救命ボ―トの代用となる。【選択図】図１
2014156175.tif 000002
【特許請求の範囲】
【請求項１】
車両等の前後バンパー部に収納した浮き袋を設置し、下方よりの水圧と車重により上記浮き袋内に発砲ウレタンあるいは空気を注入し浮き袋を膨張させて車両を支え水面に浮くようになしたことを特徴とする車両用浮き袋。
【請求項２】
発砲ウレタン用浮き袋は取り替え可能にしたことを特徴とする請求項１記載の車両用浮き袋。
【発明の詳細な説明】
【技術分野】
【０００１】
本発明は車両が水没の恐れがある時に浮き袋を膨らませ車両を浮上させるこ
とのできる車両用浮き袋に関するものである。
【背景技術】
【０００２】
従来の車両等には水陸両用の車両はあるが一般大衆車とは異なり市販台数も
少なく水難等の救命用車両としては台数が少なすぎる。
また、水難時に車両を水から保護するための自動車防水カバー（特許文献1）
が知られている。
【先行技術文献】
【特許文献】
【０００３】
【特許文献１】特開２００２―１４４８８５
【発明の概要】
【発明が解決しようとする課題】
【０００４】
従来の津波等での避難方法では次のような欠点がある。
上記、特許文献１の自動車浮き袋付きカバーは自動車を保護することが目的であり運転手等は高台に徒歩で避難しなくてはならない。
【０００５】
また、水難事故で車両内に取り残され脱出が出来ずに命を失う方も多い。
【０００６】
津波が短時間で到達する地域では弱者の方や引率者の方が逃げ遅れ津波等に飲み込まれ尊い命を失う。
【０００７】
以上のような問題点を解決するために開発されたものである。
【課題を解決するための手段】
【０００８】
車両の下部の前後バンパーに取り外しの出来る車両用浮き袋を収納して取り付け車両を救命ボートの代用とすることを目的としたものである。
尚、浮き袋へ注入する発泡ウレタンあるいは空気の作動は水圧と車重のバランス調整にて作動するものである。
以上の構成よりなる車両用浮き袋。 
【発明の効果】
【０００９】
上述したように本発明の車両用浮き袋は、従来の常識を覆し放置する車両を救命具とし活用する事で多くの人命を救うという効果を発揮するものである。
【図面の簡単な説明】
【００１０】
【図１】車両用浮き袋を作動させた車両の断面図
【図２】同車両の平面図
【発明を実施するための形態】
【００１１】
以下、本発明の実施の形態を説明する。
車両１の下部の前後バンパー部に取り付けた取り替え用浮き袋２は通常はバンパー部内に収納されているが水難等の時に水圧と車重により発砲ウレタンの場合は調整圧縮ボンベ３が作動し上記浮き袋内に噴射することにより膨張して車両の前後を浮上させる。
【符号の説明】
【００１２】
１  車両
２  浮き袋
３  圧縮ボンベ
【図１】
2014156175.tif 000003
【図２】
2014156175.tif 000004
(57)【要約】【課題】本発明は、ハンドル押下力を効率よく穿孔刃に伝えられる２穴パンチ具を提供することを課題とする。【解決手段】ハンドル回転軸を中心に回動自在なハンドルと、ハンドルに固定されハンドル回転軸を中心に回動自在な第１部分歯車と、第２部分歯車回転軸を中心に回動自在な第２部分歯車とを有し、ハンドル回転軸と第２部分歯車回転軸は、基台に固定された作動部固定部に所定の位置で軸支され、第１部分歯車と第２部分歯車は噛み合っており、しかも、第２部分歯車の径は第１部分歯車の径の２倍以上の大きさがあり、第２部分歯車に穿孔刃駆動手段が設けてある構成とした。【選択図】図１
2014156003.tif 000002
【特許請求の範囲】
【請求項１】
ハンドル回転軸を中心に回動自在なハンドルと、
ハンドルに固定されハンドル回転軸を中心に回動自在な第１部分歯車と、
第２部分歯車回転軸を中心に回動自在な第２部分歯車とを有し、
ハンドル回転軸と第２部分歯車回転軸は、基台に固定された作動部固定部に所定の位置で軸支され、
第１部分歯車と第２部分歯車は噛み合っており、しかも、第２部分歯車の径は第１部分歯車の径の２倍以上の大きさがあり、
第２部分歯車に穿孔刃駆動手段が設けてある
ことを特徴とする２穴パンチ具。
【発明の詳細な説明】
【技術分野】
【０００１】
この発明は、ハンドル押下力を効率よく穿孔刃に伝えられる２穴パンチ具に関する。
【背景技術】
【０００２】
従来の小型の２穴パンチ具は、てこの原理を利用し、ハンドルの回転軸に近い部分で穿孔刃に下向の力を加えている。ハンドルの長さと穿孔刃の移動距離が同じであれば、ハンドルの回転角度が大きいほど小さい力で同等の穿孔力を発揮することができる。
【０００３】
しかしながら、ハンドルの回転角度を大きくするにつれ、穿孔刃を下向に押下する際にハンドルが穿孔刃を押す角度が垂直から乖離する角度が大きくなり、効率を下げている。
【０００４】
このため、２つのてこを使う２穴パンチ具が考案され製造販売されている。これは、ハンドルで第２のてこを駆動し、第２のてこで穿孔刃を駆動するもので、第２のてこの回転角度を小さくして、第２のてこが穿孔刃を押す角度が垂直から乖離する角度を小さくするものである。
【発明の概要】
【発明が解決しようとする課題】
【０００５】
２つのてこを使う２穴パンチ具は、第２のてこが穿孔刃を押す角度が垂直から乖離する角度を小さくし、効率を高めているが、ハンドルが第２のてこを押す際にハンドルと第２のてことの接触点が滑って移動するため、摩擦により力の損失が生じている。
この発明は、この力の損失を小さくすることによって、ハンドル押下力を効率よく穿孔刃に伝えられる２穴パンチ具を実現することを課題としている。
【課題を解決するための手段】
【０００６】
本発明の２穴パンチ具は、ハンドル回転軸を中心に回動自在なハンドルと、ハンドルに固定されハンドル回転軸を中心に回動自在な第１部分歯車と、第２部分歯車回転軸を中心に回動自在な第２部分歯車とを有し、ハンドル回転軸と第２部分歯車回転軸は、基台に固定された作動部固定部に所定の位置で軸支され、第１部分歯車と第２部分歯車は噛み合っており、しかも、第２部分歯車の径は第１部分歯車の径の２倍以上の大きさがあり、第２部分歯車に穿孔刃駆動手段が設けてある構成とした。
【発明の効果】
【０００７】
平行軸の歯車対の噛み合いはほとんど転がりで、相対的な滑りは微小で高効率であり、ハンドルで第２のてこを押すものより効率が高い。
【図面の簡単な説明】
【０００８】
【図１】本発明の２穴パンチ具の実施例のハンドルの押下開始時の側面透視図である。
【図２】本発明の２穴パンチ具の実施例のハンドルの押下完了時の側面透視図である。
【図３】本発明の２穴パンチ具の実施例の斜視図である。
【発明を実施するための形態】
【０００９】
以下、本発明の実施の形態を図１、図２、図３に基づいて説明する。
【００１０】
第１部分歯車６及び第２部分歯車８は、それぞれ平歯車の部分であり、コンパクト化のため、この２穴パンチ具の作動上不必要な部分を取り除いたものである。
【００１１】
本発明の２穴パンチ具は、第２部分歯車８に設けた穿孔刃押圧部１０で穿孔刃１１を駆動するが、第２部分歯車８の回転角度は、第１部分歯車６の回転角度×第１部分歯車６の径の長さ÷第２部分歯車８の径の長さ、であり、第２部分歯車８の径を第１部分歯車６の径の２倍にすれば、第２部分歯車８の回転角度はハンドル４の回転角度の２分の１になり、第２部分歯車８の径を第１部分歯車６の径の３倍にすれば、第２部分歯車８の回転角度はハンドル４の回転角度の３分の１になる。
【００１２】
本発明の２穴パンチ具は、穿孔刃１１を駆動する第２部分歯車８の回転角度がハンドル４の回転角度より小さくなるため、ハンドル４の回転角度を大きくすることが可能であり、ハンドル４の回転角度を水平に対し上下に広げるために、ハンドル回転軸５の位置を高くすることが適当である。
【符号の説明】
【００１３】
１    ２穴パンチ具
２    基台
３    作動部固定部
４    ハンドル
５    ハンドル回転軸
６    第１部分歯車
７    第１部分歯車固定ピン
８    第２部分歯車
９    第２部分歯車回転軸
１０    穿孔刃押圧部
１１    穿孔刃
１２    穿孔刃ガイド
１３    バネ
１４    穿孔孔
１５    パンチ屑溜めカバー
【図１】
2014156003.tif 000003
【図２】
2014156003.tif 000004
【図３】
2014156003.tif 000005
(57)【要約】      （修正有）【課題】簡単にジッパー付袋を閉じることができる楽楽ジッパー袋を提供する。【解決手段】ジッパー付袋の開閉口の両端を固定することにより、簡単にジッパー袋を閉じることかできる楽楽ジッパー袋。【選択図】図１
2014156280.tif 000002
【特許請求の範囲】
【請求項１】
ジッパー袋の左右の端の溝を固定することを特徴とする楽楽ジッパー袋。
【請求項２】
固定する幅は、袋のサイズ幅により決めることができることを特徴とする楽楽ジッパー袋。
【発明の詳細な説明】
【技術分野】
【０００１】本発明は、簡単に閉じることができる楽楽ジッパー袋に関する。
【背景技術】
【０００２】従来、ジッパー付袋では内容物が多く膨らんでいると簡単に閉じることが難しい。
袋の開封部分の左右の端を固定することにより簡単に閉じることができる。
【先行技術文献】
【特許文献】
【０００３】
【特許文献１】特開２０１１−１７７２１５
【発明の概要】
【発明が解決しようとする課題】
【０００４】ジッパー付袋を閉めるときに、内容物が多く膨らんでいると最初のジッパーの溝へのはめ込みが難しい。
【課題を解決するための手段】
【０００５】ジッパー付袋左右の端の溝を固定しておく楽楽ジッパー袋。
【発明の効果】
【０００６】本発明によれば、ジッパー付袋を閉める際の最初の溝入れが容易になり簡単に閉じることができる楽楽ジッパー袋を提供できる。
【図面の簡単な説明】
【０００７】
【図１】本発明の一実施形態の楽楽ジッパー袋を示す正面図
【符号の説明】
【０００８】１・・・楽楽ジッパー袋
２・・・ジッパー部分
３・・・固定部分
【発明を実施するための形態】
【０００９】以下、本発明の図面を参照して実施形態に基づき説明するが、実施形態は例示であり、本発明は実施形態に限定されるものではない。
【００１０】従来、内容物が多い場合など図１のジッパー部分２を閉じようとする時に、最初のジッパーの溝入れが容易ではない。固定部分３を設けることにより、簡単にジッパーの溝にはめ込むことが可能になる。
【図１】
2014156280.tif 000003
【手続補正書】
【提出日】平成25年5月30日(2013.5.30)
【手続補正１】
【補正対象書類名】明細書
【補正対象項目名】０００４
【補正方法】変更
【補正の内容】
【０００４】ジッパー付袋を閉めるときに、高齢者や身体に障害のある人は、最初のジッパーの溝へのはめ込みが難しい。また内容物が多く膨らんでいると特に難しい。
(57)【要約】【目的】詰替え袋の補給後に、切取部を安易に破棄する為に、排水口が詰まり思わぬ水漏れ事故が多発している。そこで、切取部３３を補給用袋体と一体化する事で水漏れ事故を無くす事が目的である。【構成】周囲シール３０の周縁上方に始点１１ａから、開口部３２を通し、終点１１ｂから成る液体の内容物を取り出す破断線１１と、また、破断線の終点１１ｂが、始点２１ａから終点２１ｂに伸びる切込２１と接するように配置して、更に、切込２１の切込長さが、上部切込２１ａ〜１１ｂ＜下部切込１１ｂ〜２１ｂとなるように上部に比べて下部を長くした切取部３３からなるものである。【選択図】図２
2014156282.tif 000002
【特許請求の範囲】
【請求項１】
補給用詰替え袋に於いて、周囲シール（３０）の周縁上方に始点（１１ａ）から、開口部（３２）を通し、終点（１１ｂ）から成る液体の内容物を取り出す破断線（１１）と、また、破断線の終点（１１ｂ）が、始点（２１ａ）から終点（２１ｂ）に伸びる切込（２１）と接するように配置して、更に、切込（２１）の切込長さが、上部切込（２１ａ）〜（１１ｂ）＜下部切込（１１ｂ）〜（２１ｂ）となるように上部に比べて下部を長くした切取部（３３）からなる事を特徴とする詰替え用袋。
【発明の詳細な説明】
【発明の詳細な説明】
【発明の属する分野】
【０００１】  本発明は、液体洗剤等を収容する詰換え用袋に関する。
【背景技術】
【０００２】  通常、液体洗剤容器等の上部には、内部の液体を出す為に、容器上部に手動ポンプを設けて噴射するものが一般的であり、この手動ポンプにより内容物の液体石鹸・液体洗剤を噴出する構造であるが、液体石鹸・液体洗剤等の詰替え袋は、補給用に使用されており、その理由として液体洗剤容器等の価格が高価な為で、消耗する内容物を補給方法が安価であり、不燃ごみの量が少なくなる為と考えられる。よって、本体容器の内容物の液体石鹸・液体洗剤が減少時に、詰替え袋に破断線を設けることで、切取部を開口させ、手動ポンプの付いている本体容器内へ補給する方法が一般的である。【０００３】  そこで、このような詰替え袋は、通常、容易に加工・製造でき、その内容物を保護するようなシート部材を熱溶着することで構成されており、一般的に、そのようなシート部材の材料は、低温度で溶着できる加工性に優れた材料（例えばポリエチレン）及び、収容物を保護するようにガス透過性の低い材料（例えばナイロン、アルミ）を用途に応じて適宜積層した構造となっている。
【発明が解決しようとする課題】
【０００４】  図１で説明すると、２枚のシート部材３１ａ、３１ｂを重ねて周囲シール３０で接着し、下部には底面シール３４の端部を接着し、この袋体に使用する液体石鹸・液体洗剤等を注入して、上部を接着すると詰替え袋が完成する。
【０００５】  ポンプ付容器は、上部に噴射ポンプを設けた構造なので高価ありで、リサイクル面でも詰替え袋が発展してきた。また、ポンプ付容器の液体物を使用して無くなった時に、詰替え袋の上部の一端を切り欠き、ポンプ付容器に補給するものである。
【０００６】  しかし、詰替え袋の補給後に、切欠きを安易に破棄する為に、排水口が詰まり思わぬ水漏れ事故が多発している。そこで本発明者が、切取部３３を補給用袋体と一体化する事で水漏れ事故を無くす事が出来ると考えたのである。
【課題を解決するための手段】
【０００７】  補給用詰替え袋に於いて、周囲シール３０の周縁上方に始点１１ａから、開口部３２を通し、終点１１ｂから成る液体の内容物を取り出す破断線１１と、また、破断線の終点１１ｂが、始点２１ａから終点２１ｂに伸びる切込２１と接するように配置して、更に、切込２１の切込長さが、上部切込２１ａ〜１１ｂ＜下部切込１１ｂ〜２１ｂとなるように上部に比べて下部を長くした切取部３３からなるものである。
【発明の実施する形態】
【０００８】  補給用詰替え袋１０は、対向する２枚の側面シート材３１ａ、３１ｂで、図中斜線部で示した領域３０が周囲シール領域であり接着する事で筒体を構成する、更に下方に湾曲した底面シール３４を設けることで、本体が袋状となり内部に液剤（液体石鹸・液体洗剤等）を入れて上部を接着する形態である。
【０００９】  次に、補充用詰替え袋１０の開口部３２を作る破断線１１は、始点１１ａと終点１１ｂからなり、開口部３２の形成は２枚がシールされるので円形状になる。また、切込線は終点１１ｂを中心にして、上部２１ａと下部２１ｂからなり切込２１ａ＜切込２１ｂの比率で周囲シールに切込を入れた形態である。
【００１０】  この様に切込２１ａ＜切込２１ｂとする理由として、破断線１１で開口部３２を作る為に人間の両手で切断した時、切断に必要な力以上の力を下方に逃がし、側面シート材３１ａ、３１ｂを破損させない為である。
【実施例】
【００１１】  以下、この発明の好適な実施例を例示的に詳しく説明する。ただし、この実施例に記載されている構成方法、構成装置、構成内容、構成部品の寸法、材質、形状、その相対配置などは、特に特定的な記載がないかぎりは、この発明の範囲をそれらのみに限定する趣旨のものでなく、単なる説明例にすぎない。【００１２】  図１により説明すると、詰替え袋１０は側面シート材３１ａ、３１ｂの周囲シール３０で接着すると筒状に構成できる、更に、底部は底面が広がる折返し３５設けた底面シール３４なので、内部に液剤（液体石鹸・液体洗剤等）を封入すると、折返し３５を中心にして底面が広がり、重心が下方に移動するので、上部に比較して下部容量が多くなり自立する構造である。【００１３】  また、上部にある破断線１１は、始点１１ａから終点１１ｂに繋がっているので、破断線１１を開くことで、詰替え袋１０の左上方部に円形の開口部３２ができる。更に、切込２１は、切込２１ａが１０ｍｍ〜２０ｍｍで、切込２１ｂが５０ｍｍ〜７０ｍｍ程度が好適な数値である。よって、切取部３３は、詰替え袋１０の左側に垂れ下がるような状態となる。【００１４】  この様態を示したのが、図２であり説明すると、破断線１１を切り開けると中央部に、傾斜した円形の開口部３２が開くことになり、詰替え袋１０の内容物である洗剤液等の液体を、開口部３２からポンプ付容器に補給できるのである。
【発明の効果】
【００１５】  切取部３３を詰替え袋と一体化すると、使用後の補給用詰替え袋を破棄する事で余分な切欠部を紛失し排水溝を塞ぎ、水漏れ事故を無くす事かが出来たのである。
【００１６】    更に、切取部３３と本体１０に力を入れて開口部３２を作る時に、強い力で引き裂いた時でも、上部切込２１ａ〜１１ｂ＜下部切込１１ｂ〜２１ｂの構成なので、側面シート材３１ａ、３１ｂを破損して詰替え袋１０の内部液体が漏れ出ることがない。
【図面の簡単な説明】
【図１】開封前の詰替え袋の正面図である。
【図２】破断線を切り開き開口部ができた図である。
【符号の説明】１０・・・詰替え袋
１１・・・破断線
１１ａ・・・破断線の始点
１１ｂ・・・破断線の終点
２１ａ・・・切込の始点
２１ｂ・・・切込の終点
３０・・・周囲シール
３１ａ・・・側面シート材
３１ｂ・・・側面シート材
３２・・・開口部
３３・・・切取部
３４・・・底面シール
３５・・・折返し
【図１】
2014156282.tif 000003
【図２】
2014156282.tif 000004
(57)【要約】【課題】          ボックスティシュの残量を正確に把握するために、ボックスティシュ本体側面に残量確認小窓の付いた、残量確認小窓つきボックスティシュを提供する。【解決手段】      ボックスティシュ本体（１）の、横幅の長い方の側面に、小窓（２）となる穴を開け、内側から透明なビニール（３）を貼った、残量確認小窓つきボックスティシュを特徴とする。【選択図】図１
2014156281.tif 000002
【特許請求の範囲】
【請求項１】
ティシュの残量が一目で分かるような小窓が、ボックスティシュ本体側面に付いた、残量確認小窓つきボックスティシュ。
【発明の詳細な説明】
【技術分野】
【０００１】  この発明は、ボックスティシュの側面にティシュ残量が一目で分かる小窓を付けた、残量確認小窓つきボックスティシュに関するものである。
【背景技術】
【０００２】  従来、ボックスティシュは使用量が半分を超えると、残量を正確に知ることが困難だった。
【先行技術文献】
【０００３】
【発明の概要】
【発明が解決しようとする課題】
【０００４】  これは、次のような欠点があった。
（イ）従来、ボックスティシュ内のティシュ残量は、ボックス上部のティシュ取り出し口のビニール部分から目視で推察するしかなかった。この方法では使用量が２分の１を超えると、残量を正確に推察することが難しかった。
（ロ）ボックスティシュは、概して、最後の一枚を使い切るまで残量が少なくなっていることに気付かないことが多く、使用者に対し、使用中に購入を喚起するシグナルを送ることが難しかった。
本発明は、以上のような欠点をなくすためになされたものである。
【課題を解決するための手段】
【０００５】  ボックスティシュ本体（１）の、横幅の長い方の側面に、小窓（２）となる穴を開け、内側から透明なビニール（３）を貼り、残量確認小窓とする。本発明は、以上の構成よりなる残量確認小窓つきボックスティシュである。
【発明の効果】
【０００６】  ティシュ残量が常に正確に把握できる状態であるので、使用者が最後の一枚を使い切る前に次のボックスティシュを用意することが可能になる。
【図面の簡単な説明】
【０００７】
【図１】  本発明の正面図である。
【発明を実施するための形態】
【０００８】  以下、本発明を実施するための形態について説明する。
ボックスティシュ本体（１）の、横幅の長い方の側面の、中ほどから下の高さに小窓（２）となる穴を開け、ボックスの内側に透明なビニール（３）を貼る。本発明は、以上のような構造である。
【符号の説明】
【０００９】１      ボックスティシュ本体
２      小窓
３      透明なビニール
【図１】
2014156281.tif 000003
(57)【要約】【課題】  ドレンの排出機能の不足あるいは低下だけでなくドレンの排出機能の喪失を判定する。【解決手段】  スチームトラップ２０の弁室３の底部外面に超音波送受信器１４を取り付け、制御演算器１５に接続するとともに、出口６にフロースイッチ１６を取り付け、制御演算器１５に接続する。制御演算器１５は、所定時間毎に超音波送受信器１４を制御して、弁室３の底部外面から上方に向けて超音波を放射し、フロート９で反射されて戻ってくるまでの時間からフロート９の位置を検出し、フロート９の位置が所定よりも高位を維持するとともにフロースイッチ１６により流体の流動が検出されれば弁口７から排出されるドレンの排出機能が不足あるいは低下していると判定し、フロート９の位置が所定よりも高位を維持するとともにフロースイッチ１６により流体の流動が検出されなければ弁口７から排出されるドレンの排出機能が喪失していると判定する。【選択図】  図１
2014156894.tif 000002
【特許請求の範囲】
【請求項１】
ケーシングで入口と弁室と出口を形成し、弁室と出口を連通する弁口を弁室の下部に設け、弁室内に弁口を開閉するフロートを配し、フロートの位置を検出する位置検出手段と流体の流動を検出するフロースイッチを設け、位置検出手段で検出されたフロートの位置が所定よりも高位を維持するとともにフロースイッチで流体の流動が検出されれば弁口から排出されるドレンの排出機能が不足あるいは低下していると判定し位置検出手段で検出されたフロートの位置が所定よりも高位を維持するとともにフロースイッチで流体の流動が検出されなければ弁口から排出されるドレンの排出機能が喪失していると判定する判定手段を設けたことを特徴とするフロート式ドレントラップの作動判定装置。
【発明の詳細な説明】
【技術分野】
【０００１】
本発明は、蒸気や圧縮空気やガス配管系に発生する復水や凝縮水等のドレンを自動的に排出するフロート式ドレントラップの作動状態、すなわち、ドレンの排出が正常に行われているか否かを判定するフロート式ドレントラップの作動判定装置に関する。
【背景技術】
【０００２】
フロート式ドレントラップの作動判定装置は、ケーシングで入口と弁室と出口を形成し、弁室と出口を連通する弁口を弁室の下部に設け、弁室内に弁口を開閉するフロートを配し、フロートの位置を検出する位置検出手段を設け、位置検出手段で検出されたフロートの位置が所定よりも高位を維持すれば弁口から排出されるドレンの排出機能が不足あるいは低下していると判定する判定手段を設けたものである。
【先行技術文献】
【特許文献】
【０００３】
【特許文献１】特開２０００−３５６２９９号公報
【発明の概要】
【発明が解決しようとする課題】
【０００４】
上記従来のフロート式ドレントラップの作動判定装置は、フロートの位置が所定よりも高位を維持すれば弁口から排出されるドレンの排出機能が不足あるいは低下していると判定するものであるが、ドレンの排出機能を喪失した所謂フン詰まりを判定することができない問題点があった。
【０００５】
したがって本発明が解決しようとする課題は、ドレンの排出機能の不足あるいは低下だけでなくドレンの排出機能の喪失を判定できるフロート式ドレントラップの作動判定装置を提供することである。
【課題を解決するための手段】
【０００６】
上記の課題を解決するために、本発明のフロート式ドレントラップの作動判定装置は、ケーシングで入口と弁室と出口を形成し、弁室と出口を連通する弁口を弁室の下部に設け、弁室内に弁口を開閉するフロートを配し、フロートの位置を検出する位置検出手段と流体の流動を検出するフロースイッチを設け、位置検出手段で検出されたフロートの位置が所定よりも高位を維持するとともにフロースイッチで流体の流動が検出されれば弁口から排出されるドレンの排出機能が不足あるいは低下していると判定し位置検出手段で検出されたフロートの位置が所定よりも高位を維持するとともにフロースイッチで流体の流動が検出されなければ弁口から排出されるドレンの排出機能が喪失していると判定する判定手段を設けたことを特徴とするものである。
【発明の効果】
【０００７】
本発明によれば、フロートの位置が所定よりも高位を維持するとともに流体の流動が検出されれば弁口から排出されるドレンの排出機能が不足あるいは低下していると判定しフロートの位置が所定よりも高位を維持するとともに流体の流動が検出されなければ弁口から排出されるドレンの排出機能が喪失していると判定することにより、ドレンの排出機能の不足あるいは低下だけでなくドレンの排出機能の喪失を判定できるという優れた効果を生じる。
【図面の簡単な説明】
【０００８】
【図１】本発明の実施の形態に係わるフロート式スチームトラップの作動判定装置の概略構成図である。
【発明を実施するための形態】
【０００９】
以下、本発明の実施の形態について、図１を参照して説明する。本実施例はフリーフロート式スチームトラップ２０に適用したものである。フリーフロート式スチームトラップ２０のケーシングは本体１とこの本体１に締結した蓋体２とで形成し、内部に弁室３を有する。本体１は入口４と出口通路５と出口６を有し、入口４は弁室３の上部に連通する。弁室３の下部側壁に弁口７を開けた弁座８を取り付ける。弁室３の下部は弁口７を介して出口通路５から出口６に連通する。弁室３内に弁口７を開閉する中空球形のフロート９を自由状態で配置する。
【００１０】
弁室３の底部外面に超音波送受信器１４を取り付け、制御演算器１５に接続する。出口６にフロースイッチ１６を取り付け、制御演算器１５に接続する。
【００１１】
制御演算器１５は、所定時間毎に超音波送受信器１４を制御して、弁室３の底部外面から上方に向けて超音波を放射し、フロート９で反射されて戻ってくるまでの時間からフロート９の位置を検出し、フロート９の位置が所定よりも高位を維持するとともにフロースイッチ１６により流体の流動が検出されれば弁口７から排出されるドレンの排出機能が不足あるいは低下していると判定し表示し、フロート９の位置が所定よりも高位を維持するとともにフロースイッチ１６により流体の流動が検出されなければ弁口７から排出されるドレンの排出機能が喪失していると判定し表示する。
【００１２】
上記実施例では、本発明をフリーフロート式スチームトラップに適用したが、レバーフロート式スチームトラップにも適用することができる。また、フロート式スチームトラップだけでなくフロート式エアートラップやフロート式ガストラップにも適用することができる。
【産業上の利用可能性】
【００１３】
本発明は、蒸気や圧縮空気やガス配管系に発生する復水や凝縮水等のドレンを自動的に排出するフロート式ドレントラップの作動判定装置に利用することができる。
【符号の説明】
【００１４】
１  本体
２  蓋体
３  弁室
４  入口
６  出口
７  弁口
９  フロート
１４  超音波送受信器
１５  制御演算器
１６  フロースイッチ
２０  フリーフロート式スチームトラップ
【図１】
2014156894.tif 000003
(57)【要約】【課題】  運搬時に弁ディスクの動揺を防止できるディスク式スチームトラップを提供する。【解決手段】  内外輪弁座６，７と蓋部材５とにより形成する変圧室４内に弁ディスク１１を配置する。内外輪弁座６，７と弁ディスク１１の間にバイメタル環１３を配置する。低温時にバイメタル環１３が弁座面より高く突出して弁ディスク１１を持上げて内外輪弁座６，７から離座開弁させ、高温時にバイメタル環１３が弁座面より低くなり弁ディスク１１に干渉しなくなる。低温時にバイメタル環１３が弁ディスク１１を蓋部材５に押し当てて弁ディスク１１を蓋部材５との間で保持する。これにより、低温時である運搬時に弁ディスク１１の動揺を防止できるので、弁ディスク１１やバイメタル環１３や内外輪弁座６，７が変形したり損傷したりすることを防止できる。【選択図】  図１
2014156893.tif 000002
【特許請求の範囲】
【請求項１】
内外輪弁座と蓋部材とにより形成する変圧室内に弁ディスクを配置し、内外輪弁座と弁ディスクの間にバイメタルを配置し、低温時にバイメタルが弁座面より高く突出して弁ディスクを持上げて内外輪弁座から離座開弁させ、高温時にバイメタルが弁座面より低くなり弁ディスクに干渉しなくなるものにおいて、低温時にバイメタルが弁ディスクを蓋部材に押し当てて弁ディスクを蓋部材との間で保持することを特徴とするディスク式スチームトラップ。
【発明の詳細な説明】
【技術分野】
【０００１】
本発明は、変圧室すなわち熱力学的蒸気室の圧力変化に応じて弁ディスクが開閉することにより、蒸気配管系に発生する復水を自動的に排出するディスク式スチームトラップに関し、特に、バイメタルを用いてエアバインディングを解消できるようにしたものに関する。
【背景技術】
【０００２】
ディスク式スチームトラップは内外輪弁座からなる弁座面に対して離着座する弁ディスクを、弁ディスクの背後に形成した変圧室の圧力変化によって自力的に制御して開閉弁させ復水を自動的に排出するものである。このものにおいては、始動時に空気が流入してきても、蒸気の場合と同様に瞬時に閉弁してしまい、一旦閉弁すると空気は蒸気と異なり凝縮作用を起こさないので、その後は開弁できない、いわゆるエアバインディングが起こる。そこで、従来からバイメタルを用いてこのエアバインディングを解消することが行なわれている。これは、バイメタルの温度変化による湾曲作用を利用して、低温時に弁ディスクを強制的に持上げて開弁させ、高温時に弁ディスクに干渉しない様にしたものである。この一例が特許文献１に示されている。これは、内外輪弁座と弁ディスクの間にバイメタルを配置し、低温時にバイメタルが弁座面より高く突出して弁ディスクを持上げて内外輪弁座から離座開弁させ、高温時にバイメタルが弁座面より低くなり弁ディスクに干渉しなくなるものである。
【先行技術文献】
【特許文献】
【０００３】
【特許文献１】特公昭４７−６８２５号公報
【発明の概要】
【発明が解決しようとする課題】
【０００４】
上記従来のディスク式スチームトラップは、弁ディスクが運搬中の振動等により動揺してバイメタルや内外輪弁座に衝突するために、弁ディスクやバイメタルや内外輪弁座が変形したり損傷したりする問題点があった。
【０００５】
したがって本発明が解決しようとする課題は、運搬時に弁ディスクの動揺を防止できるディスク式スチームトラップを提供することである。
【課題を解決するための手段】
【０００６】
上記の課題を解決するために、本発明のディスク式スチームトラップは、内外輪弁座と蓋部材とにより形成する変圧室内に弁ディスクを配置し、内外輪弁座と弁ディスクの間にバイメタルを配置し、低温時にバイメタルが弁座面より高く突出して弁ディスクを持上げて内外輪弁座から離座開弁させ、高温時にバイメタルが弁座面より低くなり弁ディスクに干渉しなくなるものにおいて、低温時にバイメタルが弁ディスクを蓋部材に押し当てて弁ディスクを蓋部材との間で保持することを特徴とするものである。
【発明の効果】
【０００７】
本発明によれば、低温時にバイメタルが弁ディスクを蓋部材に押し当てて弁ディスクを蓋部材との間で保持することにより、低温時である運搬時に弁ディスクの動揺を防止できるので、弁ディスクやバイメタルや内外輪弁座が変形したり損傷したりすることを防止できるという優れた効果を生じる。
【図面の簡単な説明】
【０００８】
【図１】本発明の実施の形態に係わるディスク式スチームトラップの断面図である。
【発明を実施するための形態】
【０００９】
以下、本発明の実施の形態について、図１を参照して説明する。本体１に同一軸上に入口２と出口３を形成し、この入口２及び出口３と連通する変圧室４を蓋部材５と本体１とで形成する。入口２と出口３の変圧室４側開口端に内輪弁座６と外輪弁座７を同心円状で同一平面に形成してその間に環状溝８を形成する。内外輪弁座６，７に離着座する円板状の弁ディスク１１を変圧室４内に配置する。入口２と変圧室４は内輪弁座６に形成した入口通路９を介して連通し、変圧室４と出口３は環状溝８の一部から形成した出口通路１０を介して連通する。
【００１０】
外輪弁座７の外周に円錐状の斜面部１２と斜面部１２の上端部及び下端部にそれぞれ上側平面部１５及び下側平面部１６を形成し、有端のバイメタル環１３を配置する。低温時にバイメタル環１３が縮閉し、斜面部１２を上動して上側平面部１５に載ることにより、弁ディスク１１を持上げて内外輪弁座６，７から離座開弁させるとともに弁ディスク１１を蓋部材５に押し当てて弁ディスク１１を蓋部材５との間で保持する。これにより、エアバインディングを解消できるとともに、運搬時に弁ディスク１１の動揺を防止できる。高温時にバイメタル環１３が拡開して斜面部１２を下動し、弁ディスク１１に干渉しなくなり、下側平面部１６に載る。
【００１１】
上記実施の形態の作動を説明する。トラップ本体が低温の場合、バイメタル環１３は縮閉して上側平面部１５に載り、弁ディスク１１を持上げて内外輪弁座６，７から離座開弁状態にし、低温の復水や空気を排出する。これにより、エアバインディングを解消する。
【００１２】
そして高温復水が流入すれば、バイメタル環１３は拡開して斜面部１２を下動して下側平面部１６に載り、弁ディスク１１に関与しなくなる。以後周知のディスク式スチームトラップの作動原理に基づいて蒸気は逃さず復水のみを自動的に排出する。
【産業上の利用可能性】
【００１３】
本発明は、蒸気配管系に発生する復水を自動的に排出するディスク式スチームトラップに利用することができる。
【符号の説明】
【００１４】
１  本体
２  入口
３  出口
４  変圧室
５  蓋部材
６  内輪弁座
７  外輪弁座
８  環状溝
９  入口通路
１０  出口通路
１１  弁ディスク
１２  斜面部
１３  バイメタル環
１５  上側平面部
１６  下側平面部
【図１】
2014156893.tif 000003
(57)【要約】【課題】  球形フロートが弁座から離座し降下して弁口を開口しているときに入口から出口へ流下する液体中のゴミやスケール等の異物が球形フロートの外表面に付着堆積し難い逆止弁を提供する。【解決手段】  本体１と蓋２で弁ケーシングを形成する。蓋２の一横部に入口４を、本体１の他横部に入口４と同一軸上の出口５を、入口４と出口５の間に弁室３を形成する。入口４と弁室３の間に入口４と弁室３を連通する入口４と出口５と同一軸上の弁口６を有する弁座７を設ける。弁座７に離着座して弁口６を開閉する球形フロート９を弁室３に配置する。球形フロート９を弁口６に案内するリブ１０を弁室３内壁に設ける。リブ１０は球形フロート９が弁座７から離座し弁口６を開口するときに球形フロート９を弁口６の下端よりも下方位置に案内する。【選択図】図１
2014156895.tif 000002
【特許請求の範囲】
【請求項１】
弁ケーシングの一横部に入口を、他横部に入口と同一軸上の出口を、入口と出口の間に弁室を形成し、入口と弁室の間に入口と弁室を連通する入口と出口と同一軸上の弁口を有する弁座を設け、弁座に離着座して弁口を開閉する球形フロートを弁室に配置し、球形フロートを弁口に案内するリブを弁室内壁に設け、球形フロートが弁座から離座し弁口を開口することにより入口から出口への液体の流れを許容し球形フロートが弁座に着座し弁口を閉口することにより出口から入口への液体の流れを阻止するものにおいて、球形フロートを弁口に案内するリブは球形フロートが弁座から離座し弁口を開口するときに球形フロートを弁口の下端よりも下方位置に案内することを特徴とする逆止弁。
【発明の詳細な説明】
【技術分野】
【０００１】
本発明は液体配管に取り付けて、液体の入口から出口への順方向の流れは許容するが、その逆方向すなわち出口から入口への流れは阻止する逆止弁に関する。
【背景技術】
【０００２】
従来の逆止弁は、弁ケーシングの一横部に入口を、他横部に入口と同一軸上の出口を、入口と出口の間に弁室を形成し、入口と弁室の間に入口と弁室を連通する入口と出口と同一軸上の弁口を有する弁座を設け、弁座に離着座して弁口を開閉する球形フロートを弁室に配置し、球形フロートを弁口に案内するリブを弁室内壁に設け、球形フロートが弁座から離座し弁口を開口することにより入口から出口への液体の流れを許容し球形フロートが弁座に着座し弁口を閉口することにより出口から入口への液体の流れを阻止するものである。
【先行技術文献】
【特許文献】
【０００３】
【特許文献１】特許第２９１６７３２号
【発明の概要】
【発明が解決しようとする課題】
【０００４】
上記従来の逆止弁は、球形フロートが弁座から離座し弁口を開口しているときに入口から出口へ流下する液体中のゴミやスケール等の異物が球形フロートの外表面に付着堆積するために、球形フロートが弁座に着座し弁口を閉口するときに弁口を完全閉口できなくなり液体を出口に漏出するという問題点があった。
【０００５】
解決しようとする課題は、球形フロートが弁座から離座し弁口を開口しているときに入口から出口へ流下する液体中のゴミやスケール等の異物が球形フロートの外表面に付着堆積し難い逆止弁を提供することである。
【課題を解決するための手段】
【０００６】
上記の課題を解決するために、本発明の逆止弁は、弁ケーシングの一横部に入口を、他横部に入口と同一軸上の出口を、入口と出口の間に弁室を形成し、入口と弁室の間に入口と弁室を連通する入口と出口と同一軸上の弁口を有する弁座を設け、弁座に離着座して弁口を開閉する球形フロートを弁室に配置し、球形フロートを弁口に案内するリブを弁室内壁に設け、球形フロートが弁座から離座し弁口を開口することにより入口から出口への液体の流れを許容し球形フロートが弁座に着座し弁口を閉口することにより出口から入口への液体の流れを阻止するものにおいて、球形フロートを弁口に案内するリブは球形フロートが弁座から離座し弁口を開口するときに球形フロートを弁口の下端よりも下方位置に案内することを特徴とするものである。
【発明の効果】
【０００７】
本発明は、球形フロートを弁口に案内するリブは球形フロートが弁座から離座し弁口を開口するときに球形フロートを弁口の下端よりも下方位置に案内するものであるので、球形フロートが弁座から離座し降下して弁口を開口しているときに入口から出口へ流下する液体中のゴミやスケール等の異物が球形フロートの外表面に付着堆積し難くなり、球形フロートが浮上し弁座に着座して弁口を閉口するときに弁口を完全閉口できるという優れた効果を生じる。
【図面の簡単な説明】
【０００８】
【図１】本発明の実施の形態に係わる逆止弁の断面図である。
【図２】図１のＡ−Ａ断面図である。
【発明を実施するための形態】
【０００９】
以下、本発明の実施の形態について、図１及び図２を参照して説明する。本体１に蓋２をボルトで締結して内部に弁室３を有する弁ケーシングを形成する。蓋２の一横部に弁室３に連通する水平方向に開口した入口４を形成し、本体１の他横部に弁室３から連通する水平方向に開口した出口５を形成する。蓋２に入口４と弁室３を連通する弁口６を有する弁座７を間に挟んで取付部材８をネジで固定する。入口４と出口５と弁口６は同一軸上に形成する。
【００１０】
弁座７に離着座して弁口６を開閉する球形フロート９を弁室３に自由状態で配置する。本体１は弁室３の内壁に内側に突出したリブ１０を一体に有する。リブ１０は球形フロート９が浮上するときに球形フロート９を弁口６に案内し、球形フロート９が弁座７から離座し降下するときに球形フロート９を弁口６の下端よりも下方位置に案内する。
【００１１】
球形フロート９が弁座７から離座し降下して弁口６を開口することにより入口４から出口５への液体の流れを許容し、球形フロート９が浮上し弁座７に着座して弁口６を閉口することにより出口５から入口４への液体の流れを阻止する。
【００１２】
入口４から弁室３に液体が流入してくると、球形フロート９が弁座７から離座し降下して弁口６を開口することにより入口４から出口５への液体の流れを許容する。このとき、球形フロート９はリブ１０に案内されて弁口６の下端よりも下方に位置し、入口４から出口５へ流下する液体中のゴミやスケール等の異物が外表面に付着堆積し難くなる。出口５から弁室３に液体が流入してくると、球形フロート９が浮上し弁座７に着座して弁口６を閉口することにより出口５から入口４への液体の流れを阻止する。
【産業上の利用可能性】
【００１３】
本発明は、液体の入口から出口への順方向の流れは許容するが、その逆方向すなわち出口から入口への流れは阻止する逆止弁に利用することができる。
【符号の説明】
【００１４】
１  本体
２  蓋
３  弁室
４  入口
５  出口
６  弁口
７  弁座
８  取付部材
９  球形フロート
１０  リブ
【図１】
2014156895.tif 000003
【図２】
2014156895.tif 000004